【手続補正書】
【提出日】平成22年4月30日(2010.4.30)
【手続補正１】
【補正対象書類名】特許請求の範囲
【補正対象項目名】全文
【補正方法】変更
【補正の内容】
【特許請求の範囲】
【請求項１】
行状に配された複数の走査線、
列状に配された複数の信号線、
行列状に配された画素、及び、
信号線毎に配された、一方のスイッチと他方のスイッチとから成る一対のスイッチ、
を備えており、
各画素は、発光素子、電界効果トランジスタから成るサンプリング用トランジスタ及び駆動用トランジスタ、並びに、保持容量を有しており、
サンプリング用トランジスタにあっては、ゲートは走査線に接続されており、ソース及びドレインの一方は信号線に接続されており、
駆動用トランジスタにあっては、ゲートはサンプリング用トランジスタのソース及びドレインの他方と保持容量の一端とに接続されており、ソース及びドレインの一方は保持容量の他端と発光素子とに接続されており、ソース及びドレインの他方には、第１電位と第２電位とに切り替わる電源電圧が供給され、
一方のスイッチの一端と他方のスイッチの一端とは信号線に接続されており、
一方のスイッチの他端には信号電位が供給され、
他方のスイッチの他端には基準電位が供給される表示装置。
【請求項２】
表示装置は、基準電位が供給される共通配線を更に備えており、
他方のスイッチの他端は該共通配線に接続されている請求項１に記載の表示装置。
【請求項３】
行状に配された複数の走査線、列状に配された複数の信号線、及び、行列状に配された画素は、一枚のパネル上に形成されており、
一対のスイッチ及び共通配線は該パネル上に配されている請求項２に記載の表示装置。
【請求項４】
基準電位はパネルの外部から共通配線に供給される請求項３に記載の表示装置。
【請求項５】
行列状に配された画素は、水平期間毎に行単位で線順次走査され、
水平期間にあっては、一方のスイッチが非導通状態とされると共に他方のスイッチが導通状態とされることによって他方のスイッチを介して信号線に基準電位が供給され、次いで、一方のスイッチが導通状態とされると共に他方のスイッチが非導通状態とされることによって一方のスイッチを介して信号線に信号電位が供給される請求項１に記載の表示装置。
【請求項６】
表示装置は、信号電位を供給すると共に一対のスイッチを制御する信号セレクタを更に備えており、
信号電位は該信号セレクタから一方のスイッチの他端に供給され、
水平期間にあっては、該信号セレクタによって一方のスイッチ及び他方のスイッチの導通状態／非導通状態が制御される請求項５に記載の表示装置。
【請求項７】
行状に配された複数の走査線、列状に配された複数の信号線、及び、行列状に配された画素は、一枚のパネル上に形成されており、
一対のスイッチ及び信号セレクタは該パネル上に配されている請求項６に記載の表示装置。
【請求項８】
信号セレクタは、パネルの外部から供給される映像信号を水平期間毎にサンプルホールドし、信号電位として一方のスイッチの他端に供給する請求項７に記載の表示装置。
【請求項９】
行状に配された複数の走査線、
列状に配された複数の信号線、
行列状に配された画素、及び、
信号線毎に配された、一方のスイッチと他方のスイッチとから成る一対のスイッチ、
を備えており、
各画素は、発光素子と、該発光素子を駆動する回路とを有しており、
該回路は、走査線と信号線とに接続されており、走査線から供給される制御信号及び信号線から供給される信号電位に基づいて動作し、発光素子には、供給された信号電位に応じた電流が該回路から流れる表示装置であって、
一方のスイッチの一端と他方のスイッチの一端とは信号線に接続されており、
一方のスイッチの他端には信号電位が供給され、
他方のスイッチの他端には基準電位が供給される表示装置。
【請求項１０】
行状に配された複数の走査線、
列状に配された複数の信号線、
行列状に配された画素、及び、
信号線毎に配された、一方のスイッチと他方のスイッチとから成る一対のスイッチ、
を備えており、
各画素は、発光素子、電界効果トランジスタから成るサンプリング用トランジスタ及び駆動用トランジスタ、並びに、保持容量を有しており、
サンプリング用トランジスタにあっては、ゲートは走査線に接続されており、ソース及びドレインの一方は信号線に接続されており、
駆動用トランジスタにあっては、ゲートはサンプリング用トランジスタのソース及びドレインの他方と保持容量の一端とに接続されており、ソース及びドレインの一方は保持容量の他端と発光素子とに接続されており、ソース及びドレインの他方には、第１電位と第２電位とに切り替わる電源電圧が供給され、
一方のスイッチの一端と他方のスイッチの一端とは信号線に接続されており、
一方のスイッチの他端には信号電位が供給され、
他方のスイッチの他端には基準電位が供給され、
行列状に配された画素は、水平期間毎に行単位で線順次走査され、
水平期間にあっては、一方のスイッチが非導通状態とされると共に他方のスイッチが導通状態とされることによって他方のスイッチを介して信号線に基準電位が供給され、次いで、一方のスイッチが導通状態とされると共に他方のスイッチが非導通状態とされることによって一方のスイッチを介して信号線に信号電位が供給される表示装置であって、
駆動用トランジスタのソース及びドレインの他方に第１電位の電源電圧が供給され、複数の水平期間において他方のスイッチを介して信号線に基準電位が供給されたときに走査線からの制御信号に基づいてサンプリング用トランジスタが導通状態とされることによって、駆動用トランジスタのソース及びドレインの一方の電位が基準電位から駆動用トランジスタの閾電圧を減じた電位に向かって近づけられる表示装置。
【請求項１１】
行状に配された複数の走査線、
列状に配された複数の信号線、
行列状に配された画素、及び、
信号線毎に配された、一方のスイッチと他方のスイッチとから成る一対のスイッチ、
を備えており、
各画素は、発光素子、電界効果トランジスタから成るサンプリング用トランジスタ及び駆動用トランジスタ、並びに、保持容量を有しており、
サンプリング用トランジスタにあっては、ゲートは走査線に接続されており、ソース及びドレインの一方は信号線に接続されており、
駆動用トランジスタにあっては、ゲートはサンプリング用トランジスタのソース及びドレインの他方と保持容量の一端とに接続されており、ソース及びドレインの一方は保持容量の他端と発光素子とに接続されており、ソース及びドレインの他方には、第１電位と第２電位とに切り替わる電源電圧が供給され、
一方のスイッチの一端と他方のスイッチの一端とは信号線に接続されており、
一方のスイッチの他端には信号電位が供給され、
他方のスイッチの他端には基準電位が供給され、
行列状に配された画素は、水平期間毎に行単位で線順次走査され、
水平期間にあっては、一方のスイッチが非導通状態とされると共に他方のスイッチが導通状態とされることによって他方のスイッチを介して信号線に基準電位が供給され、次いで、一方のスイッチが導通状態とされると共に他方のスイッチが非導通状態とされることによって一方のスイッチを介して信号線に信号電位が供給される表示装置の駆動方法であって、
駆動用トランジスタのソース及びドレインの他方に第１電位の電源電圧を供給し、複数の水平期間において他方のスイッチを介して信号線に基準電位を供給したときに走査線からの制御信号に基づいてサンプリング用トランジスタを導通状態とし、以て、駆動用トランジスタのソース及びドレインの一方の電位を基準電位から駆動用トランジスタの閾電圧を減じた電位に向かって近づける工程を行う表示装置の駆動方法。
【請求項１２】
前記工程の前に、
駆動用トランジスタのソース及びドレインの他方に第２電位の電源電圧を供給し、水平期間において他方のスイッチを介して信号線に基準電位を供給したときに走査線からの制御信号に基づいてサンプリング用トランジスタを導通状態とし、以て、駆動用トランジスタのゲートの電位を基準電位とし、駆動用トランジスタのソース及びドレインの一方の電位を第２電位とする工程を行う請求項１１に記載の表示装置の駆動方法。
【請求項１３】
前記工程の後、水平期間において一方のスイッチを介して信号線に信号電位を供給する期間内に、該期間よりも短い期間の間、走査線からの制御信号に基づいてサンプリング用トランジスタを導通状態とし、信号線から信号電位を駆動用トランジスタのゲートに印加する請求項１１に記載の表示装置の駆動方法。
【請求項１４】
信号線から信号電位を駆動用トランジスタのゲートに印加しているときに、駆動用トランジスタに電流が流れ、駆動用トランジスタのソース及びドレインの一方の電位が変化する請求項１３に記載の表示装置の駆動方法。
【請求項１５】
信号線から信号電位を駆動用トランジスタのゲートに印加した後、走査線からの制御信号の供給が終了してサンプリング用トランジスタが非導通状態となることによって、保持容量に保持された駆動用トランジスタのゲートとソース及びドレインの一方との間の電圧の値に応じた電流が、駆動用トランジスタを介して発光素子に流れ、発光素子が発光する請求項１３に記載の表示装置の駆動方法。
【手続補正２】
【補正対象書類名】明細書
【補正対象項目名】全文
【補正方法】変更
【補正の内容】
【発明の詳細な説明】
【発明の名称】表示装置及び表示装置の駆動方法
【技術分野】
【０００１】
本発明は、表示装置及び表示装置の駆動方法に関する。より詳しくは、発光素子を画素に用いたアクティブマトリクス型の表示装置及び係る表示装置の駆動方法に関する。
【背景技術】
【０００２】
発光素子として有機ＥＬデバイスを用いた平面自発光型の表示装置の開発が近年盛んになっている。有機ＥＬデバイスは有機薄膜に電界をかけると発光する現象を利用したデバイスである。有機ＥＬデバイスは、印加電圧が１０Ｖ以下で駆動するため、低消費電力である。また、有機ＥＬデバイスは、自ら光を発する自発光素子であるため、照明部材を必要とせず、軽量化及び薄型化が容易である。更に、有機ＥＬデバイスは、応答速度が数μｓ程度と非常に高速であるので、動画表示時の残像が発生しない。
【０００３】
有機ＥＬデバイスを画素に用いた平面自発光型の表示装置の中でも、とりわけ、駆動素子として薄膜トランジスタを各画素に集積形成したアクティブマトリクス型の表示装置の開発が盛んである。アクティブマトリクス型平面自発光表示装置は、例えば、以下の特許文献１乃至特許文献５に記載されている。
【特許文献１】特開２００３−２５５８５６
【特許文献２】特開２００３−２７１０９５
【特許文献３】特開２００４−１３３２４０
【特許文献４】特開２００４−０２９７９１
【特許文献５】特開２００４−０９３６８２
【発明の開示】
【発明が解決しようとする課題】
【０００４】
しかしながら、従来のアクティブマトリクス型平面自発光表示装置は、プロセス変動により発光素子を駆動するトランジスタの閾電圧や移動度がばらついてしまう。また、有機ＥＬデバイスの特性が経時的に変動する。この様な駆動用トランジスタの特性ばらつきや有機ＥＬデバイスの特性変動は、発光輝度に影響を与えてしまう。表示装置の画面全体にわたって発光輝度を均一に制御するため、各画素回路内で上述したトランジスタや有機ＥＬデバイスの特性変動を補正する必要がある。従来から、かかる補正機能を画素毎に備えた表示装置が提案されている。しかしながら、従来の補正機能を備えた画素回路は、補正用の電位を供給する配線と、スイッチング用のトランジスタと、スイッチング用のパルスが必要であり、画素回路の構成が複雑である。画素回路の構成要素が多いことから、ディスプレイの高精細化の妨げとなっていた。
【課題を解決するための手段】
【０００５】
上述した従来の技術の課題に鑑み、本発明は画素回路の簡素化によりディスプレイの高精細化を可能にする表示装置を提供することを一般的な目的とする。特に、駆動用トランジスタの閾電圧のばらつきを確実に補正できる表示装置を提供することを目的とする。この中でも、特に、信号線の信号電位と基準電位との間で正確に切り替えることが可能な表示装置を提供することを目的とする。かかる目的を達成するために、以下の手段を講じた。即ち、本発明は、画素アレイ部とこれを駆動する駆動部とから成り、前記画素アレイ部は、行状の走査線と、列状の信号線と、両者が交差する部分に配された行列状の画素と、画素の各行に対応して配された給電線とを備え、前記駆動部は、各走査線に水平周期で順次制御信号を供給して画素を行単位で線順次走査する主スキャナと、該線順次走査に合わせて各給電線に第１電位と第２電位で切り替わる電源電圧を供給する電源スキャナと、該線順次走査に合わせ各水平期間内で映像信号となる信号電位と基準電位とを切り替えて列状の信号線に供給する信号セレクタとを備え、前記画素は、発光素子と、サンプリング用トランジスタと、駆動用トランジスタと、保持容量とを含み、前記サンプリング用トランジスタは、そのゲートが該走査線に接続され、そのソース及びドレインの一方が該信号線に接続され、他方が該駆動用トランジスタのゲートに接続され、前記駆動用トランジスタは、そのソース及びドレインの一方が該発光素子に接続され、他方が該給電線に接続され、前記保持容量は、該駆動用トランジスタのソースとゲートの間に接続されている表示装置であって、前記サンプリング用トランジスタは、該走査線から供給された制御信号に応じて導通し、該信号線から供給された信号電位をサンプリングして該保持容量に保持し、前記駆動用トランジスタは、第１電位にある該給電線から電流の供給を受け該保持された信号電位に応じて駆動電流を該発光素子に流し、前記主スキャナは、該給電線が第１電位にあり、且つ、該信号線が基準電位にある時間帯で該サンプリング用トランジスタを導通させる制御信号を出力して、該駆動用トランジスタの閾電圧に相当する電圧を該保持容量に保持するための閾電圧補正動作を行い、前記主スキャナは、信号電位のサンプリングに先行する複数の水平期間で該閾電圧補正動作を繰り返し行って確実に該駆動用トランジスタの閾電圧に相当する電圧を該保持容量に保持し、各信号線には夫々一対のスイッチが配されており、一方のスイッチは信号線に信号電位を供給するためのものであり、他方のスイッチは基準電位を供給する共通配線を信号線に接続するためのものであり、前記信号セレクタは、該線順次走査に合わせ各水平期間内で一対のスイッチを開閉制御し、信号電位と基準電位とを切り替えて列状の信号線に供給することを特徴とする。
【０００６】
一態様によると、前記画素アレイ部は、一枚のパネル上に形成されており、前記スイッチ及びこれを開閉制御する信号セレクタも同一のパネル上に配されている。また、前記主スキャナは、該閾電圧補正動作に先立って、該給電線が第２電位にあり、且つ、該信号線が基準電位にある時間帯で、制御信号を出力して該サンプリング用トランジスタを導通させ、以て、該駆動用トランジスタのゲートを該基準電位にセットし、且つ、ソースを第２電位にセットする。また、前記主スキャナは、該信号線が信号電位にある時間帯に該サンプリング用トランジスタを導通状態にするため、該時間帯よりパルス幅の短い該制御信号を該走査線に出力し、以て、前記保持容量に信号電位を保持すると同時に該駆動用トランジスタの移動度に対する補正を信号電位に加える。また、前記主スキャナは、該保持容量に信号電位が保持された時点で、該サンプリング用トランジスタを非導通状態にして該駆動用トランジスタのゲートを該信号線から電気的に切り離し、以て、該駆動用トランジスタのソース電位の変動にゲート電位が連動しゲートとソース間の電圧を一定に維持する。
【発明の効果】
【０００７】
本発明によれば、有機ＥＬデバイスなどの発光素子を画素に用いたアクティブマトリクス型の表示装置において、各画素が少なくとも駆動用トランジスタの閾電圧補正機能を備えており、望ましくは駆動用トランジスタの移動度補正機能や有機ＥＬデバイスの経時変動補正機能（ブートストラップ動作）も備えており、高品位の画質を得ることが出来る。かかる補正機能を組み込むため、各画素に供給する電源電圧をスイッチングパルスとして使用する。電源電圧をスイッチングパルス化することで、閾電圧補正用のスイッチングトランジスタやそのゲートを制御する走査線が不要になる。結果として、画素回路の構成素子数と配線本数が大幅に削減でき、画素エリアを縮小することが可能となり、ディスプレイの高精細化を達成できる。従来、このような補正機能を備えた画素回路は、構成素子数が多いためレイアウト面積が大きくなり、ディスプレイの高精細化には不向きであったが、本発明では電源電圧をスイッチングすることにより構成素子数と配線数を削減し、画素のレイアウト面積を小さくすることが可能である。これにより、高品位、且つ、高精細なフラットディスプレイを提供することが出来る。
【０００８】
特に、本発明では、信号電位のサンプリングに先行する複数の水平期間で閾電圧補正動作を繰り返し行って確実に駆動用トランジスタの閾電圧に相当する電圧を保持容量に保持しておく。本発明では、駆動用トランジスタの閾電圧補正を数回に分けて行うことにより、トータルの補正時間を充分に確保することができ、確実に駆動用トランジスタの閾電圧に相当する電圧を予め保持容量に保持しておくことが出来る。この保持容量に保持された閾電圧相当分は、同じく保持容量にサンプリングされる信号電位に足し込まれ、これが駆動用トランジスタのゲートに印加される。サンプリングされた信号電位に足し込まれた閾電圧相当分は、丁度、駆動用トランジスタの閾電圧とキャンセルするため、そのばらつきの影響を受けることなく信号電位に応じた駆動電流を発光素子に供給することが出来る。このためには、閾電圧に相当する電圧を確実に保持容量に保持しておくことが重要である。本発明では閾電圧相当分の電圧の書き込みを複数回に分けて繰り返し行うことで、書き込み時間を充分に確保している。かかる構成により、特に低階調における輝度ムラを抑制することが出来る。
【０００９】
上述した閾電圧補正動作を複数回に分けて繰り返し行うために、各信号線の電位を水平期間毎に信号電位と基準電位との間で切り替える必要がある。この目的で本発明は、各信号線に一対のスイッチを配している。一方のスイッチは信号線に信号電位を供給するためのものであり、他方のスイッチは基準電位を供給する共通配線を信号線に接続するためのものである。本発明では、線順次走査に合わせて各水平期間内で一対のスイッチを開平制御し、信号電位と基準電位とを切り替えて列状の信号線に供給している。スイッチの開閉制御で信号電位と基準電位を切り替える構成であるため、信号線上の電位変化を精度良く行うことが出来る。これにより水平期間毎に信号電位と基準電位を切り替えても、信号電位の劣化が少なくなり、表示品位を維持することが出来る。
【発明を実施するための最良の形態】
【００１０】
以下、図面を参照して、本発明の実施の形態を詳細に説明する。図１は、本発明にかかる表示装置の全体構成を示すブロック図である。図示する様に、本表示装置１００は、画素アレイ部１０２とこれを駆動する駆動部（１０３，１０４，１０５）とから成る。画素アレイ部１０２は、行状の走査線ＷＳＬ１０１〜１０ｍと、列状の信号線ＤＴＬ１０１〜１０ｎと、両者が交差する部分に配された行列状の画素（ＰＸＬＣ）１０１と、各画素１０１の各行に対応して配された給電線ＤＳＬ１０１〜１０ｍとを備えている。駆動部（１０３，１０４，１０５）は、各走査線ＷＳＬ１０１〜１０ｍに水平期間（１Ｈ）で順次制御信号を供給して画素１０１を行単位で線順次走査する主スキャナ（ライトスキャナＷＳＣＮ）１０４と、この線順次走査に合わせて各給電線ＤＳＬ１０１〜１０ｍに第１電位（高電位）と第２電位（低電位）で切り替わる電源電圧を供給する電源スキャナ（ＤＳＣＮ）１０５と、この線順次走査に合わせて各水平期間内（１Ｈ）で映像信号となる信号電位と基準電位とを切り替えて列状の信号線ＤＴＬ１０１〜１０ｍに供給する信号セレクタ（水平セレクタＨＳＥＬ）１０３とを備えている。
【００１１】
本発明の特徴事項として、各信号線ＤＴＬにはそれぞれ一対のスイッチＨＳＷ，ＰＳＷが配されている。一方のスイッチＨＳＷは信号線ＤＴＬに映像信号Ｖsigの信号電位を供給するためのものである。他方のスイッチＰＳＷは基準電位Ｖoを供給する共通配線１０９を信号線ＤＴＬに接続するためのものである。信号セレクタ１０３は、ライトスキャナ１０４側の線順次走査に合わせ各水平期間内で一対のスイッチＨＳＷ，ＰＳＷを交互に開閉制御し、映像信号Ｖsigの信号電位と基準電位Ｖoとを切り替えて列状の信号線ＤＴＬに供給している。
【００１２】
本実施形態では、画素アレイ部１０２は１枚のパネル上に形成されており、これがフラットパネル構造の表示装置１００を構成している。この場合、信号線ＤＴＬの本数と同じ個数のスイッチＨＳＷ，ＰＳＷや、これらを開閉制御する信号セレクタ１０３も、同一のパネル上に配されている。このため、パネルには外部から基準電位Ｖoや映像信号Ｖsigを供給するための端子のみを設ければよく、信号線ＤＴＬの１本毎に外部回路と接続する必要がなくなる。基準電位Ｖoを供給する電圧源や映像信号Ｖsigを供給する信号源は、駆動能力を高いものを外部的に使うことが出来る。パネルは基準電位Ｖoや映像信号Ｖsigの信号電位をスイッチで切り替えて各信号線ＤＴＬに供給する構成であるため、信号電位や基準電位の劣化がなく、画像品位を損なうことがない。尚、本実施形態は、信号セレクタ１０３に加え、ライトスキャナ１０４や電源スキャナ１０５も同一のパネル上に形成されている。
【００１３】
信号セレクタ１０３は、基本的に、外部から供給される映像信号Ｖsigを水平周期毎にサンプルホールドし、１行分ずつ順に出力していく。この様に、信号セレクタ１０３は線順次動作で信号電位を各信号線ＤＴＬに供給していく。但し、本発明はこれに限られるものではなく、信号セレクタ１０３に代えて点順次方式の信号ドライバを用いても良い。本実施形態の場合、信号セレクタ１０３は線順次走査に合わせて各スイッチＨＳＷ，ＰＳＷの開閉走査も同時に行っている。
【００１４】
図２は、図１に示した表示装置１００に含まれる画素１０１の具体的な構成及び結線関係を示す回路図である。図示する様に、この画素１０１は、有機ＥＬデバイスなどで代表される発光素子３Ｄと、サンプリング用トランジスタ３Ａと、駆動用トランジスタ３Ｂと、保持容量３Ｃとを含む。サンプリング用トランジスタ３Ａは、そのゲートが対応する走査線ＷＳＬ１０１に接続され、そのソース及びドレインの一方が対応する信号線ＤＴＬ１０１に接続され、他方が駆動用トランジスタ３Ｂのゲートｇに接続されている。駆動用トランジスタ３Ｂは、そのソースｓ及びドレインｄの一方が発光素子３Ｄに接続され、他方が対応する給電線ＤＳＬ１０１に接続されている。本実施形態では、駆動用トランジスタ３Ｂのドレインｄが給電線ＤＳＬ１０１に接続されている一方、ソースｓが発光素子３Ｄのアノードに接続されている。発光素子３Ｄのカソードは接地配線３Ｈに接続されている。尚、この接地配線３Ｈは全ての画素１０１に対して共通に配線されている。保持容量３Ｃは、駆動用トランジスタ３Ｂのソースｓとゲートｇの間に接続されている。
【００１５】
かかる構成において、サンプリング用トランジスタ３Ａは、走査線ＷＳＬ１０１から供給された制御信号に応じて導通し、信号線ＤＴＬ１０１から供給された信号電位Ｖinをサンプリングして保持容量３Ｃに保持する。駆動用トランジスタ３Ｂは、第１電位にある給電線ＤＳＬ１０１から電流の供給を受け、保持容量３Ｃに保持された信号電位に応じて駆動電流を発光素子３Ｄに流す。主スキャナ１０４は、給電線ＤＳＬ１０１が第１電位にあり、且つ、信号線ＤＴＬ１０１が基準電位Ｖoにある時間帯でサンプリング用トランジスタ３Ａを導通させる制御信号を出力して、駆動用トランジスタ３Ｂの閾電圧Ｖthに相当する電圧を保持容量３Ｃに保持するための閾電圧補正動作を行う。本発明の特徴事項として、この主スキャナ１０４は、信号電位のサンプリングに先行する複数の水平期間で閾電圧補正動作を繰り返し行って確実に駆動用トランジスタ３Ｂの閾電圧Ｖthに相当する電圧を保持容量Ｃｓに保持する。この様に、本発明は、閾電圧補正動作を複数回行うことで、充分に長い書き込み時間を確保し、以て、駆動用トランジスタ３Ｂの閾電圧に相当する電圧を確実に保持容量３Ｃに予め保持することが出来る。この保持された閾電圧相当分は駆動用トランジスタ３Ｂの閾電圧のキャンセルに用いられる。したがって、画素毎に駆動用トランジスタ３Ｂの閾電圧がばらついていても、画素毎に完全にキャンセルされるため、画像のユニフォーミティが高まる。特に、信号電位が低階調の時に現れがちな輝度ムラを防ぐことが出来る。
【００１６】
閾電圧補正動作を複数回繰り返して行うためには、信号線ＤＴＬ１０１に対して１水平期間ごとに基準電位Ｖoと信号電位Ｖinを切り替えて供給する必要がある。このために、信号線ＤＴＬ１０１には一対のスイッチＨＳＷ１０１，ＰＳＷ１０１が配されている。一方のスイッチＨＳＷ１０１は信号線ＤＴＬ１０１に信号電位Ｖinを供給するためのものである。他方のスイッチＰＳＷ１０１は基準電位Ｖoを供給する共通配線１０９を信号線ＤＴＬ１０１に接続するためのものである。信号セレクタ１０３は、ライトスキャナ１０４側の線順次走査に合わせて各水平期間内で一対のスイッチＨＳＷ１０１，ＰＳＷ１０１を排他的に開閉制御し、信号電位Ｖinと基準電位Ｖoとを切り替えて信号線ＤＴＬ１０１に供給する。これにより、画素回路１０１は複数の水平期間で閾電圧補正動作を繰り返し実行することが出来る。
【００１７】
好ましくは、主スキャナ１０４は、上述した閾電圧補正動作に先立って、給電線ＤＳＬ１０１が第２電位にあり、且つ、信号線ＤＴＬ１０１が基準電位Ｖoにある時間帯で、制御信号を出力してサンプリング用トランジスタ３Ａを導通させ、以て、駆動用トランジスタ３Ｂのゲートｇを基準電位Ｖoにセットし、且つ、ソースｓを第２電位にセットする。この様なゲート電位及びソース電位のリセット動作により、後続する閾電圧補正動作を確実に行うことが可能になる。
【００１８】
図２に示した画素１０１は、上述した閾電圧補正機能に加え、移動度補正機能を備えている。即ち、主スキャナ１０４は、信号線ＤＴＬ１０１が信号電位にある時間帯にサンプリング用トランジスタ３Ａを導通状態にするため、上述の時間帯よりパルス幅の短い制御信号を走査線ＷＳＬ１０１に出力し、以て、保持容量３Ｃに信号電位を保持する際、同時に駆動用トランジスタ３Ｂの移動度μに対する補正を信号電位に加える。
【００１９】
図２に示した画素回路１０１は、更に、ブートストラップ機能も備えている。即ち、主スキャナ（ＷＳＣＮ）１０４は、保持容量３Ｃに信号電位が保持された段階で走査線ＷＳＬ１０１に対する制御信号の印加を解除し、サンプリング用トランジスタ３Ａを非導通状態にして駆動用トランジスタ３Ｂのゲートｇを信号線ＤＴＬ１０１から電気的に切り離し、以て、駆動用トランジスタ３Ｂのソース電位（Ｖs）の変動にゲート電位（Ｖg）が連動しゲートｇとソースｓ間の電圧Ｖgsを一定に維持することが出来る。
【００２０】
図３は、図２に示した信号セレクタ１０３の動作説明に供するタイミングチャートである。このタイミングチャートは、時間軸を合わせて走査線ＷＳＬ１０１の電位変化、給電線ＤＳＬ１０１の電位変化、信号線ＤＴＬ１０１の電位変化を示している。更に、信号電位側の制御スイッチＨＳＷ１０１と基準電位側の制御スイッチＰＳＷ１０１のオンオフ動作も時間軸を併せて表してある。図から明らかなように、一対のスイッチＨＳＷ１０１，ＰＳＷ１０１は各水平期間内で交互にオンオフを繰り返している。その結果、信号線ＤＴＬ１０１の電位は、１水平期間毎に信号電位Ｖinと基準電位Ｖoとが切り替わる波形となっている。図示の例では、前フィールドの発光期間が終了した後、次のフィールドに入って３回閾電圧補正動作を繰り返し行った後、サンプリング動作及び移動度補正動作を行い、その後、発光期間に進んでいる。最初の水平期間で信号線ＤＴＬ１０１が基準電位Ｖoにあるとき、１回目の閾電圧補正動作を行う。次の水平期間でも、再び信号線ＤＴＬ１０１が基準電位Ｖoにあるとき、２回目の閾電圧補正動作を行う。次の水平期間でも繰り返し閾電圧補正動作を行っている。この様に、３回の水平期間に続けて閾電圧補正動作を繰り返し行うことで、確実に駆動用トランジスタ３Ｂの閾電圧Ｖth相当の電位を保持容量に書き込んでおくことが出来る。その間、信号線ＤＴＬに印加される電位は、一対の制御スイッチＨＳＷ１０１，ＰＳＷ１０１の排他的なオンオフ動作により、１水平期間単位で基準電位Ｖoと信号電位Ｖinが交互に切り替わっている。
【００２１】
図４Ａは、図２に示した画素１０１の動作説明に供するタイミングチャートである。時間軸を共通にして、走査線（ＷＳＬ１０１）の電位変化、給電線（ＤＳＬ１０１）の電位変化及び信号線（ＤＴＬ１０１）の電位変化を表している。また、これらの電位変化と並行に、駆動用トランジスタ３Ｂのゲート電位（Ｖg）及びソース電位（Ｖs）の変化も表している。
【００２２】
このタイミングチャートは、画素１０１の動作の遷移に合わせて期間を（Ｂ）〜（Ｌ）の用に便宜的に区切ってある。発光期間（Ｂ）では発光素子３Ｄが発光状態にある。この後、線順次走査の新しいフィールドに入ってまず最初の期間（Ｃ）で給電線ＤＳＬ１０１が高電位（Ｖcc_H）から低電位（Ｖcc_L）に切り替えられる。続いて、準備期間（Ｄ）で駆動用トランジスタ３Ｂのゲート電位Ｖgが基準電位Ｖoにリセットされ、且つ、ソース電位Ｖsが給電線ＤＳＬ１０１の低電位Ｖcc_Lにリセットされる。続いて、１回目の閾値補正期間（Ｅ）で最初の閾電圧補正動作が行われる。一回だけでは時間幅が短いため、保持容量３Ｃに書き込まれる電圧はＶx1で駆動用トランジスタ３Ｂの閾電圧Ｖthには達しない。
【００２３】
続いて、経過期間（Ｆ）の後、次の１水平期間（１Ｈ）で２回目の閾電圧補正期間（Ｇ）に進む。ここで２回目の閾電圧補正動作が行われ、保持容量３Ｃに書き込まれた電圧Ｖx2はＶthに近づく。更に、経過期間（Ｈ）の後、次の１水平期間（１Ｈ）で３回目の閾電圧補正期間（Ｉ）に入り、３回目の閾電圧補正動作を行う。これにより、保持容量３Ｃに書き込まれた電圧は駆動用トランジスタ３Ｂの閾電圧Ｖthに到達する。
【００２４】
この最後の１水平期間の後半で信号線ＤＴＬ１０１が基準電位Ｖoから信号電位Ｖinに持ち上がる。ここでは期間（Ｊ）を経た後サンプリング期間／移動度補正期間（Ｋ）で、映像信号の信号電位ＶinがＶthに足し込まれる形で保持容量３Ｃに書き込まれると共に、移動度補正用の電圧ΔＶが保持容量３Ｃに保持された電圧から差し引かれる。この後、発光期間（Ｌ）に進み、信号電位Ｖinに応じた輝度で発光素子が発光する。その際、信号電位Ｖinは閾電圧Ｖthに相当する電圧と移動度補正用の電圧ΔＶとによって調整されているため、発光素子３Ｄの発光輝度は駆動用トランジスタ３Ｂの閾電圧Ｖthや移動度μのばらつきの影響を受けることが無い。尚、発光期間（Ｌ）の最初でブートストラップ動作が行われ、駆動用トランジスタ３Ｂのゲート／ソース間電圧Ｖgs＝Ｖin−Ｖo＋Ｖth−ΔＶを一定に維持したまま、駆動用トランジスタ３Ｂのゲート電位Ｖg及びソース電位Ｖsが上昇する。
【００２５】
図４Ａに示した実施形態は、閾電圧補正動作を３回繰り返した場合であり、期間（Ｅ）、（Ｇ）及び（Ｉ）でそれぞれ閾電圧補正動作を行っている。これらの期間（Ｅ）、（Ｇ）及び（Ｉ）は各水平期間（１Ｈ）の前半の時間帯に属し、信号線ＤＴＬ１０１が基準電位Ｖoにある。この期間に走査線ＷＳＬ１０１をハイレベルに切り替え、サンプリング用トランジスタ３Ａをオン状態とする。これにより、駆動用トランジスタ３Ｂのゲート電位Ｖgは基準電位Ｖoになる。この期間に駆動用トランジスタ３Ｂの閾電圧補正動作を行う。各水平期間（１Ｈ）の後半部分は他の行の画素に対する信号電位のサンプリング期間となっている。したがって、この期間（Ｆ）及び（Ｈ）は走査線ＷＳＬ１０１をローレベルに切り替え、サンプリング用トランジスタ３Ａをオフ状態にする。この様な動作を繰り返すことにより、駆動用トランジスタ３Ｂのゲート／ソース間電圧Ｖgsは、やがて駆動用トランジスタ３Ｂの閾電圧Ｖthに達する。閾電圧補正動作の繰り返し回数は画素の回路構成などに合わせて最適に設定し、以て、閾電圧補正動作を確実に行うようにしている。これにより、黒レベルの低階調から白レベルの高階調までどの階調でも良好な画質を得ることが出来る。
【００２６】
引き続き、図４Ｂ〜図４Ｌを参照して、図２に示した画素１０１の動作を詳細に説明する。尚、図４Ｂ〜図４Ｌの図番は、図４Ａに示したタイミングチャートの各期間（Ｂ）〜（Ｌ）にそれぞれ対応している。理解を容易にするため、図４Ｂ〜図４Ｌは、説明の都合上、発光素子３Ｄの容量成分を容量素子３Ｉとして図示してある。まず、図４Ｂに示すように発光期間（Ｂ）では、給電線ＤＳＬ１０１が高電位Ｖcc_H（第１電位）にあり、駆動用トランジスタ３Ｂが駆動電流Ｉdsを発光素子３Ｄに供給している。図示する様に、駆動電流Ｉdsは高電位Ｖcc_Hにある給電線ＤＳＬ１０１から駆動用トランジスタ３Ｂを介して発光素子３Ｄを通り、共通接地配線３Ｈに流れ込んでいる。
【００２７】
続いて、期間（Ｃ）に入ると図４Ｃに示すように、給電線ＤＳＬ１０１を高電位Ｖcc_Hから低電位Ｖcc_Lに切り替える。これにより、給電線ＤＳＬ１０１はＶcc_Lまで放電され、更に、駆動用トランジスタ３Ｂのソース電位ＶsはＶcc_Lに近い電位まで遷移する。給電線ＤＳＬ１０１の配線容量が大きい場合は比較的早いタイミングで給電線ＤＳＬ１０１を高電位Ｖcc_Hから低電位Ｖcc_Lに切り替えると良い。この期間（Ｃ）を充分に確保することで、配線容量やその他の画素寄生容量の影響を受けないようにしておく。
【００２８】
次に、期間（Ｄ）に進むと図４Ｄに示すように、走査線ＷＳＬ１０１を低レベルから高レベルに切り替えることで、サンプリング用トランジスタ３Ａが導通状態になる。このとき、信号線ＤＴＬ１０１は基準電位Ｖoにある。よって、駆動用トランジスタ３Ｂのゲート電位Ｖgは導通したサンプリング用トランジスタ３Ａを通じて信号線ＤＴＬ１０１の基準電位Ｖoとなる。これと同時に駆動用トランジスタ３Ｂのソース電位Ｖsは即座に低電位Ｖcc_Lに固定される。以上により、駆動用トランジスタ３Ｂのソース電位Ｖsが信号線ＤＴＬの基準電位Ｖoより充分低い電位Ｖcc_Lに初期化（リセット）される。具体的には、駆動用トランジスタ３Ｂのゲート／ソース間電圧Ｖgs（ゲート電位Ｖgとソース電位Ｖsの差）が駆動用トランジスタ３Ｂの閾電圧Ｖthより大きくなるように、給電線ＤＳＬ１０１の低電位Ｖcc_L（第２電位）を設定する。
【００２９】
次に、１回目の閾値補正期間（Ｅ）に進むと、図４Ｅに示すように、給電線ＤＳＬ１０１の電位が低電位Ｖcc_Lから高電位Ｖcc_Hに遷移し、駆動用トランジスタ３Ｂのソース電位Ｖsが上昇を開始する。この期間（Ｅ）はソース電位ＶsがＶcc_LからＶx1になった時点で終わってしまう。そのため、１回目の閾値補正期間（Ｅ）ではＶx1が保持容量３Ｃに書き込まれる。
【００３０】
続いて、この水平期間（１Ｈ）の後半期間（Ｆ）になると、図４Ｆに示すように、信号線が信号電位Ｖinに変化する一方、走査線ＷＳＬ１０１はローレベルになる。この期間（Ｆ）は他の行の画素に対する信号電位Ｖinのサンプリング期間であり、当該画素のサンプリング用トランジスタ３Ａはオフ状態にする必要がある。
【００３１】
次の１水平期間（１Ｈ）の前半になると再び閾値補正期間（Ｇ）になり、図４Ｇに示すように２回目の閾電圧補正動作を行う。１回目と同様に、信号線ＤＴＬ１０１は基準電位Ｖoとなり走査線ＷＳＬ１０１がハイレベルとなってサンプリング用トランジスタ３Ａがオンになる。この動作により保持容量３Ｃに対する電位書き込みが進み、Ｖx2まで達する。
【００３２】
この水平期間（１Ｈ）の後半期間（Ｈ）になると、図４Ｈに示すように、他の行の画素に対する信号電位のサンプリングを行うため、当該行の走査線ＷＳＬ１０１はローレベルとなり、サンプリング用トランジスタ３Ａがオフする。
【００３３】
次に、３回目の閾値補正期間（Ｉ）に進むと、図４Ｉに示すように、再び走査線ＷＳＬ１０１がハイレベルに切り替わってサンプリング用トランジスタ３Ａがオンし、駆動用トランジスタ３Ｂのソース電位Ｖsが上昇を開始する。そして、駆動用トランジスタ３Ｂのゲート／ソース間電圧Ｖgsが、丁度、閾電圧Ｖthとなった所で電流がカットオフする。このようにして駆動用トランジスタ３Ｂの閾電圧Ｖthに相当する電圧が保持容量３Ｃに書き込まれる。尚、３回の閾値補正期間（Ｅ），（Ｇ）及び（Ｉ）ではいずれも駆動電流が専ら保持容量３Ｃ側に流れ、発光素子３Ｄ側には流れないようにするため、発光素子３Ｄがカットオフとなるように共通接地配線３Ｈの電位を設定しておく。
【００３４】
続いて、期間（Ｊ）に進むと図４Ｊに示すように、信号線ＤＴＬ１０１の電位が基準電位Ｖoからサンプリング電位（信号電位）Ｖinに遷移する。これにより、次のサンプリング動作及び移動度補正動作の準備が完了する。
【００３５】
サンプリング期間／移動度補正期間（Ｋ）に入ると、図４Ｋに示すように、走査線ＷＳＬ１０１が高電位側に遷移してサンプリング用トランジスタ３Ａがオン状態となる。したがって、駆動用トランジスタ３Ｂのゲート電位Ｖgは信号電位Ｖinとなる。ここで、発光素子３Ｄは始めカットオフ状態（ハイインピーダンス状態）にあるため、駆動用トランジスタ３Ｂのドレイン電流Ｉdsは発光素子容量３Ｉに流れ込み、充電を開始する。したがって、駆動用トランジスタ３Ｂのソース電位Ｖsは上昇を開始し、やがて、駆動用トランジスタ３Ｂのゲート／ソース間電圧Ｖgsは、Ｖin−Ｖo＋Ｖth−ΔＶとなる。このようにして、信号電位Ｖinのサンプリングと補正量ΔＶの調整が同時に行われる。Ｖinが高いほどＩdsは大きくなり、ΔＶの絶対値も大きくなる。したがって、発光輝度レベルに応じた移動度補正が行われる。Ｖinを一定とした場合、駆動用トランジスタ３Ｂの移動度μが大きいほどΔＶの絶対値が大きくなる。換言すると、移動度μが大きいほど負帰還量ΔＶが大きくなるので、画素ごとの移動度μのばらつきを取り除くことが出来る。
【００３６】
最後に、発光期間（Ｌ）になると、図４Ｌに示すように、走査線ＷＳＬ１０１が低電位側に遷移し、サンプリング用トランジスタ３Ａはオフ状態となる。これにより、駆動用トランジスタ３Ｂのゲートｇは信号線ＤＴＬ１０１から切り離される。同時に、ドレイン電流Ｉdsが発光素子３Ｄを流れ始める。これにより、発光素子３Ｄのアノード電位は駆動電流Ｉdsに応じてＶel上昇する。発光素子３Ｄのアノード電位の上昇は、即ち、駆動用トランジスタ３Ｂのソース電位Ｖsの上昇に他ならない。駆動用トランジスタ３Ｂのソース電位Ｖsが上昇すると、保持容量３Ｃのブートストラップ動作により、駆動用トランジスタ３Ｂのゲート電位Ｖgも連動して上昇する。ゲート電位Ｖgの上昇量Ｖelはソース電位Ｖsの上昇量Ｖelに等しくなる。故に、発光期間中駆動用トランジスタ３Ｂのゲート／ソース間電圧Ｖgsは、Ｖin−Ｖo＋Ｖth−ΔＶで一定に保持される。
【００３７】
以上の説明から明らかなように、本発明にかかる表示装置は各画素が閾電圧補正機能及び移動度補正機能を備えている。図５は、かかる補正機能を備えた画素に含まれる駆動用トランジスタの電流／電圧特性を示すグラフである。このグラフは、横軸に信号電位Ｖinを取り、縦軸に駆動電流Ｉdsを取っている。異なる画素Ａ及びＢについてそれぞれＶin／Ｉds特性をグラフ化している。画素Ａは閾電圧Ｖthが比較的低く移動度μが比較的大きいもので、画素Ｂは、逆に、閾電圧Ｖthが比較的高く移動度μが比較的小さいものである。
【００３８】
グラフ（１）は、閾値補正及び移動度補正を共に行わなかった場合である。このときには、画素Ａ及び画素Ｂで閾電圧Ｖth及び移動度μの補正がまったく行われないため、Ｖthやμの違いでＶin／Ｉds特性に大きな違いが出てしまう。したがって、同じ信号電位Ｖinを与えても、駆動電流Ｉds即ち発光輝度が異なってしまい、画面のユニフォーミティが得られない。
【００３９】
グラフ（２）は、閾値補正をかける一方、移動度補正は行わない場合である。このとき、画素Ａと画素ＢでＶthの違いはキャンセルされる。しかしながら、移動度μの相違はそのまま現れている。したがって、Ｖinが高い領域（即ち輝度が高い領域）で、移動度μの違いが顕著に現れ、同じ階調でも輝度が違ってしまう。具体的には、同じ階調（同じＶin）で、μの大きい画素Ａの輝度（駆動電流Ｉds）は高く、μの小さい画素Ｂの輝度は低くなっている。
【００４０】
グラフ（３）は、閾値補正及び移動度補正を共に行った場合であり、本発明に対応している。閾電圧Ｖth及び移動度μの相違は完全に補正され、その結果、画素Ａと画素ＢのＶin／Ｉds特性は一致する。したがって、全ての階調（Ｖin）で輝度（Ｉds）が同一レベルとなり、画面のユニフォーミティが顕著に改善される。
【００４１】
グラフ（４）は参考例を表しており、移動度補正はかけたものの、閾電圧の補正が不充分な場合である。換言すると、閾電圧補正動作を複数回繰り返すのではなく、１回のみとした場合である。このときには、閾電圧Ｖthの差が除去されないため、画素Ａと画素Ｂでは低階調の領域で輝度（駆動電流Ｉds）に差が出てしまう。よって、閾電圧の補正が不充分な場合は、低階調で輝度のムラが現れ画質を損なうことになる。
【００４２】
図６は、表示装置の参考例を示すブロック図である。理解を容易にするため、図１に示した本発明にかかる表示装置と対応する部分には、対応する参照番号を付してある。異なる点は、画素アレイ部１０２の信号線ＤＴＬに対する信号供給部の構成である。前述したように、画素回路１０１側で複数の水平期間に渡って繰り返し閾電圧補正動作を行うために、各信号線ＤＴＬに対して基準電位と信号電位が交互に切り替わるパルス信号を供給する必要がある。そこで、図６の参考例は、各信号線ＤＴＬに対して１個ずつパルス信号源ＳＩＧを取り付けている。例えば、第１のパルス信号源ＳＩＧ１０１が１列目の信号線ＤＴＬ１０１に接続されている。このパルス信号源ＳＩＧ１０１は、基準電位と信号電位の二値が交互に繰り返すパルス信号を出力して、対応する信号線ＤＴＬ１０１に供給している。かかる構成では、信号線ＤＴＬ一本について１つの信号源ＳＩＧが必要である。即ち、パネル側は外部の信号源と接続するため、信号線ＤＴＬの本数と等しい数の接続用パッドが必要である。比較的パネルサイズの大きなテレビ用表示装置では、図６に示した構成も可能であるが、モバイル機器向けの小型表示装置では信号線ＤＴＬの本数と同じ数のパッドを設けることがスペース的に困難になってしまう。また、多数の信号源ＳＩＧを組み込んだセット側の駆動回路も複雑になってしまう。
【００４３】
図７は、図６に示した表示装置の動作説明に供する模式図である。左側に一本の信号線ＤＴＬとこれに接続している１個のパルス信号源ＳＩＧを表してある。信号線ＤＴＬと各画素回路を接続する部分を、ノードａ，ｂ，ｃ，ｄ，ｅで表してある。各ノードには、配線抵抗Ｒpと配線容量Ｃpが付加されている。図から明らかなように、信号源ＳＩＧから遠ざかるほど、配線抵抗Ｒp及び配線容量Ｃpは蓄積されていき、その影響が大きくなる。即ち、信号源ＳＩＧから出力されたパルス信号は、各ノードを通過する毎に配線抵抗や配線容量の影響を受けて劣化が進む。
【００４４】
図７の右側に各ノードａ，ｂ，ｃ，ｄ，ｅで観測されるパルス信号波形を表してある。信号源ＳＩＧに最も近いノードａでは、ほぼ矩形波の信号パルスが観測される。この信号パルスは、ノードが信号源ＳＩＧから遠ざかるほど劣化していき、その立上り及び立下りが鈍っていく。例えば、ノードｅで模式的に示したとおり、立上りが大きく鈍ると、信号線が基準電位Ｖoから信号電位Ｖinに達する前に、信号パルスが立下がってしまう。この様な現象が起こると、対応する画素の保持容量に所定の信号電位Ｖinをサンプリングすることが出来ないため、画品位が劣化してしまう。これに対し、本発明にかかる表示装置は、各信号線に対応してパルス信号源を配置するのではなく、各信号線に取り付けたスイッチで信号電位と基準電位を選択するようにしている。これにより、配線抵抗及び配線容量による劣化が防止でき、良好な画質の表示装置を得ることが可能になる。
【図面の簡単な説明】
【００４５】
【図１】本発明にかかる表示装置の全体構成を示すブロック図である。
【図２】図１に示した表示装置に含まれる画素回路の構成を示す回路図である。
【図３】図１に示した表示装置の動作説明に供するタイミングチャートである。
【図４Ａ】図２に示した実施形態の動作説明に供するタイミングチャートである。
【図４Ｂ】同じく動作説明に供する回路図である。
【図４Ｃ】同じく動作説明に供する回路図である。
【図４Ｄ】同じく動作説明に供する回路図である。
【図４Ｅ】同じく動作説明に供する回路図である。
【図４Ｆ】同じく動作説明に供する回路図である。
【図４Ｇ】同じく動作説明に供する回路図である。
【図４Ｈ】同じく動作説明に供する回路図である。
【図４Ｉ】同じく動作説明に供する回路図である。
【図４Ｊ】同じく動作説明に供する回路図である。
【図４Ｋ】同じく動作説明に供する回路図である。
【図４Ｌ】同じく動作説明に供する回路図である。
【図５】本発明にかかる表示装置の動作説明に供するグラフである。
【図６】参考例にかかる表示装置を示すブロック図である。
【図７】図６に示した表示装置の動作説明に供する模式図である。
【符号の説明】
【００４６】
１００…表示装置、１０１…画素、１０２…画素アレイ部、１０３…水平セレクタ、１０４…ライトスキャナ、１０５…電源スキャナ、１０９…共通配線、３Ａ…サンプリング用トランジスタ、３Ｂ…駆動用トランジスタ、３Ｃ…保持容量、３Ｄ…発光素子、ＨＳＷ…スイッチ、ＰＳＷ…スイッチ
【手続補正３】
【補正対象書類名】図面
【補正対象項目名】図４Ａ
【補正方法】変更
【補正の内容】
【図４Ａ】
2008122632.tif 000001
【手続補正４】
【補正対象書類名】図面
【補正対象項目名】図４Ｋ
【補正方法】変更
【補正の内容】
【図４Ｋ】
2008122632.tif 000002
【手続補正５】
【補正対象書類名】図面
【補正対象項目名】図４Ｌ
【補正方法】変更
【補正の内容】
【図４Ｌ】
2008122632.tif 000003